(57)【要約】【課題】ケーブル導体を強固に保持できる電力ケーブルの端末構造を提供する。【解決手段】ケーブル導体を備える電力ケーブルと、ケーブル導体の端部が挿入される挿入穴が設けられ、ケーブル導体と電気的に接続される電極を備えるブッシングと、ケーブル導体の端部と挿入穴の内周面との間に介在される端末導電部とを備え、端末導電部は、ケーブル導体の端部を把持し、電力ケーブルの根元側に向かって縮径する根元側外周面を有する楔金具と、電力ケーブルの根元側に配置され、楔金具を収納する根元側内周面と、ケーブル導体の先端側に配置され、ねじ加工が施された結合内周面と、挿入穴の内周面に接触して電気的に接続される導通部とを有する筒状の楔受け金具と、結合内周面に螺合する結合外周面と、楔金具を押圧する押圧面とを有し、楔受け金具にねじ込まれることで、押圧面によって楔金具を楔受け金具に押し込む押込金具とを備える電力ケーブルの端末構造。【選択図】図１
2019115169.tif 000002
【特許請求の範囲】
【請求項１】
ケーブル導体を備える電力ケーブルと、
前記ケーブル導体の端部が挿入される挿入穴が設けられ、前記ケーブル導体と電気的に接続される電極を備えるブッシングと、
前記ケーブル導体の端部と前記挿入穴の内周面との間に介在される端末導電部とを備え、
前記端末導電部は、
前記ケーブル導体の端部を把持し、前記電力ケーブルの根元側に向かって縮径する根元側外周面を有する楔金具と、
前記電力ケーブルの根元側に配置され、前記楔金具を収納する根元側内周面と、前記ケーブル導体の先端側に配置され、ねじ加工が施された結合内周面と、前記挿入穴の内周面に接触して電気的に接続される導通部とを有する筒状の楔受け金具と、
前記結合内周面に螺合する結合外周面と、前記楔金具を押圧する押圧面とを有し、前記楔受け金具にねじ込まれることで、前記押圧面によって前記楔金具を前記楔受け金具に押し込む押込金具とを備える電力ケーブルの端末構造。
【請求項２】
前記楔金具は、前記ケーブル導体の先端側に配置される端面から前記電力ケーブルの根元側に向かって拡径する受圧外周面を有し、
前記押込金具は、筒状であり、前記押圧面は、前記押込金具の内周面の一部をなし、前記受圧外周面に当接する傾斜面を含む請求項１に記載の電力ケーブルの端末構造。
【請求項３】
前記端末導電部は、前記ケーブル導体の端面、前記楔受け金具及び前記押込金具における前記ケーブル導体の先端側に配置される領域を覆うキャップを備える請求項１又は請求項２に記載の電力ケーブルの端末構造。
【請求項４】
前記キャップは、前記押込金具の外周面の一部に螺合するねじ部を備える請求項３に記載の電力ケーブルの端末構造。
【請求項５】
前記導通部は、前記挿入穴の内周面に接触する多点接触部材と、前記楔受け金具の外周に設けられ、前記多点接触部材が嵌め込まれる溝部とを備える請求項１から請求項４のいずれか１項に記載の電力ケーブルの端末構造。
【請求項６】
前記楔受け金具の外周面は、前記電力ケーブルの根元側に回転防止部を含む請求項１から請求項５のいずれか１項に記載の電力ケーブルの端末構造。
【発明の詳細な説明】
【技術分野】
【０００１】
本発明は、電力ケーブルの端末構造に関する。
【背景技術】
【０００２】
特許文献１は、電力ケーブルの端部において、露出された導体の先端部に取り付けられた端子と、この端子の挿入穴が設けられた埋込金具（電極）を備えるエポキシ樹脂製のブッシングとを備える電力ケーブルの終端接続部を開示する。上記端子は、代表的には上記導体に圧着されることで取り付けられる（類似の技術として、特許文献２の雄端子参照）。
【先行技術文献】
【特許文献】
【０００３】
【特許文献１】特開２００３−１８９４５３号公報
【特許文献２】特開平１０−２７０１０１号公報
【発明の概要】
【発明が解決しようとする課題】
【０００４】
電力ケーブルの端末において、ケーブル導体をより強固に保持できることが望まれる。特に、電力ケーブルが引っ張られるなどした場合に、上述の端子からケーブル導体が引き抜かれたりせず、上述のブッシングに備える電極との電気的接続状態をより確実に維持できることが望まれる。特許文献１，２は、ケーブル導体をより強固に保持する構成について言及していない。更に、ケーブル導体を強固に保持できながら、その保持構造を構築し易いことも望まれる。
【０００５】
そこで、ケーブル導体を強固に保持できる電力ケーブルの端末構造を提供することを目的の一つとする。
【課題を解決するための手段】
【０００６】
本開示の電力ケーブルの端末構造は、
ケーブル導体を備える電力ケーブルと、
前記ケーブル導体の端部が挿入される挿入穴が設けられ、前記ケーブル導体と電気的に接続される電極を備えるブッシングと、
前記ケーブル導体の端部と前記挿入穴の内周面との間に介在される端末導電部とを備え、
前記端末導電部は、
前記ケーブル導体の端部を把持し、前記電力ケーブルの根元側に向かって縮径する根元側外周面を有する楔金具と、
前記電力ケーブルの根元側に配置され、前記楔金具を収納する根元側内周面と、前記ケーブル導体の先端側に配置され、ねじ加工が施された結合内周面と、前記挿入穴の内周面に接触して電気的に接続される導通部とを有する筒状の楔受け金具と、
前記結合内周面に螺合する結合外周面と、前記楔金具を押圧する押圧面とを有し、前記楔受け金具にねじ込まれることで、前記押圧面によって前記楔金具を前記楔受け金具に押し込む押込金具とを備える。
【発明の効果】
【０００７】
上記の電力ケーブルの端末構造は、ケーブル導体を強固に保持できる。
【図面の簡単な説明】
【０００８】
【図１】実施形態１の電力ケーブルの端末構造の概略構成を示す部分縦断面図である。
【図２】実施形態１の電力ケーブルの端末構造に備える端末導電部を分解して示す縦断面図である。
【図３】実施形態１の電力ケーブルの端末構造の構築手順を説明する工程説明図であり、端末導電部をケーブル導体の先端部に配置する状態を示す。
【図４】実施形態１の電力ケーブルの端末構造の構築手順を説明する工程説明図であり、押込金具によって楔金具を押圧する状態を示す。
【発明を実施するための形態】
【０００９】
［本発明の実施形態の説明］
最初に本発明の実施態様を列記して説明する。
（１）本発明の一態様に係る電力ケーブルの端末構造は、
ケーブル導体を備える電力ケーブルと、
前記ケーブル導体の端部が挿入される挿入穴が設けられ、前記ケーブル導体と電気的に接続される電極を備えるブッシングと、
前記ケーブル導体の端部と前記挿入穴の内周面との間に介在される端末導電部とを備え、
前記端末導電部は、
前記ケーブル導体の端部を把持し、前記電力ケーブルの根元側に向かって縮径する根元側外周面を有する楔金具と、
前記電力ケーブルの根元側に配置され、前記楔金具を収納する根元側内周面と、前記ケーブル導体の先端側に配置され、ねじ加工が施された結合内周面と、前記挿入穴の内周面に接触して電気的に接続される導通部とを有する筒状の楔受け金具と、
前記結合内周面に螺合する結合外周面と、前記楔金具を押圧する押圧面とを有し、前記楔受け金具にねじ込まれることで、前記押圧面によって前記楔金具を前記楔受け金具に押し込む押込金具とを備える。
【００１０】
上記の電力ケーブルの端末構造では、ケーブル導体を楔金具及び楔受け金具によって保持すると共に、楔金具の小径側を電力ケーブルの根元側に配置する。このような上記の電力ケーブルの端末構造によれば、電力ケーブルが引っ張られると、楔金具は楔受け金具により強い圧接状態に拘束されてケーブル導体を引き留められるため、ケーブル導体を強固に保持できる。
【００１１】
また、上記の電力ケーブルの端末構造は、その構築過程で、押込金具を楔受け金具にねじ込むという単純な作業によって、楔金具を楔受け金具に押し込める。そのため、上記の電力ケーブルの端末構造は、押込金具によって楔金具と楔受け金具との圧接状態を維持し易いことからもケーブル導体を強固に保持できる上に、構築し易い。
【００１２】
（２）上記の電力ケーブルの端末構造の一例として、
前記楔金具は、前記ケーブル導体の先端側に配置される端面から前記電力ケーブルの根元側に向かって拡径する受圧外周面を有し、
前記押込金具は、筒状であり、前記押圧面は、前記押込金具の内周面の一部をなし、前記受圧外周面に当接する傾斜面を含む形態が挙げられる。
【００１３】
上記形態では、楔受け金具の内周面の一部と押込金具の外周面の一部とが重複して配置される。従って、上記形態は、電力ケーブルの軸方向に沿った長さを短くでき、この点で小型である。
【００１４】
（３）上記の電力ケーブルの端末構造の一例として、
前記端末導電部は、前記ケーブル導体の端面、前記楔受け金具及び前記押込金具における前記ケーブル導体の先端側に配置される領域を覆うキャップを備える形態が挙げられる。
【００１５】
上記形態は、筒状の楔受け金具や押込金具からケーブル導体の先端部が露出されていても、キャップによって、ケーブル導体の先端部を保護できる。また、上記形態は、楔受け金具や押込金具におけるケーブル導体の先端側の領域がキャップに覆われるため、その構築過程で、端末導電部が装着されたケーブル導体の端部の外周にブッシングの電極の挿入穴を嵌め込む際に楔受け金具や押込金具が上記挿入穴の内周面に接触して、上記挿入穴の内周面を損傷することも防止できる。
【００１６】
（４）キャップを有する上記の電力ケーブルの端末構造の一例として、
前記キャップは、前記押込金具の外周面の一部に螺合するねじ部を備える形態が挙げられる。
【００１７】
上記形態は、その構築過程で、キャップを押込金具にねじ込むという単純な作業によって、キャップを押込金具に強固に固定でき、作業性に優れる。
【００１８】
（５）上記の電力ケーブルの端末構造の一例として、
前記導通部は、前記挿入穴の内周面に接触する多点接触部材と、前記楔受け金具の外周に設けられ、前記多点接触部材が嵌め込まれる溝部とを備える形態が挙げられる。
【００１９】
上記形態は、多点接触部材によって楔受け金具と電極とを良好に導通でき、大電流用途であっても、低抵抗な接続構造を構築できる。また、上記形態は、多点接触部材が溝部に嵌め込まれて位置ずれしたり外れたりし難く、長期に亘り、良好な導通状態を確保できる。
【００２０】
（６）上記の電力ケーブルの端末構造の一例として、
前記楔受け金具の外周面は、前記電力ケーブルの根元側に回転防止部を含む形態が挙げられる。
【００２１】
上記形態における回転防止部は、例えば、構築過程で押込金具を楔受け金具にねじ込む際に、楔受け金具を固定する把持箇所として利用すれば、押込金具と楔受け金具との供回りを防止できる。従って、上記形態は、押込金具を効率よくねじ込めて、作業性に優れる。
【００２２】
［本発明の実施形態の詳細］
以下、適宜、図面を参照して、本発明の実施の形態を詳細に説明する。図中、同一符号は同一名称物を示す。
【００２３】
［実施形態１］
図１〜図４を参照して、実施形態の電力ケーブルの端末構造１を説明する。
図１は、電力ケーブルの端末構造１について、電力ケーブル２を除く部分の縦断面図である。ここでの縦断面図とは、電力ケーブル２の軸方向に平行な平面で切断した断面図である。
図２は、電力ケーブルの端末構造１に備える端末導電部３の縦断面図であり、各要素を分解して示す。
以下の説明では、電力ケーブルの端末構造１の各要素において、電力ケーブル２の先端部、ここでは段剥ぎされて露出されたケーブル導体２０の先端部に近い側を先端側、その反対側を根元側と呼ぶことがある。図１〜図４では、紙面上側が先端側、紙面下側が根元側である。
【００２４】
（概要）
実施形態１の電力ケーブルの端末構造１は、代表的には、電力ケーブル２と外部の接続対象（例、ＧＩＳ（ガスインシュレーテッドスイッチギア）など。図示せず）とを接続する箇所に設けられる。詳しくは、実施形態１の電力ケーブルの端末構造１は、ケーブル導体２０を備える電力ケーブル２と、ケーブル導体２０と電気的に接続される電極５０を備えるブッシング５と、端末導電部３とを備える。電極５０には、ケーブル導体２０の端部が挿入される挿入穴５０ｈが設けられている。端末導電部３は、ケーブル導体２０の端部と電極５０の挿入穴５０ｈの内周面との間に介在される部材であり、ケーブル導体２０の端部を把持する楔金具３０と、筒状の楔受け金具３２と、楔金具３０を楔受け金具３２に押し込む押込金具３４とを備える。特に、実施形態１の電力ケーブルの端末構造１では、楔受け金具３２と押込金具３４とが互いにねじ結合し、押込金具３４を楔受け金具３２にねじ込むことで、押込金具３４は楔金具３０を押圧して楔受け金具３２に押し込める。また、実施形態１の電力ケーブルの端末構造１では、楔金具３０の小径側（図１では紙面下側）が電力ケーブル２の根元側に配置される。そのため、電力ケーブル２が図１の下側に向かって引っ張られると、楔金具３０は楔受け金具３２により強い圧接状態に拘束されて、ケーブル導体２０を引き留められる。以下、各要素を詳細に説明する。
【００２５】
（電力ケーブル）
電力ケーブル２は、ケーブル導体２０と、ケーブル導体２０の外周に形成されたケーブル絶縁体２２とを備える。電力ケーブル２は、代表的には、半導電層、遮蔽層、シース（いずれも図示せず）などを備える。具体的な電力ケーブル２として、ＣＶケーブル（架橋ポリエチレン絶縁シースケーブル）などが挙げられる。この例の電力ケーブル２は、送電電圧が６６ｋＶから５００ｋＶといった高圧用途のＣＶケーブルである。電力ケーブル２の端部は、段剥ぎされて、ケーブル導体２０などが露出される。
【００２６】
（ブッシング）
ブッシング５は、ケーブル導体２０と外部の接続対象の導体との間を電気的に接続する電極５０と、電極５０の外周に設けられるブッシング本体５２とを備える。
【００２７】
電極５０は、棒状の導電性部材であり、一端部（図示せず、図１では紙面上側に位置する）を外部の接続対象との接続箇所とし、他端側領域をケーブル導体２０との接続箇所とする。この例では、電極５０の他端側に、端末導電部３が装着されたケーブル導体２０の端部を収納する挿入穴５０ｈが設けられており、電極５０の他端側は有底円筒状である。
【００２８】
ブッシング本体５２は、電力ケーブル２の先端部を収納する挿入穴５２ｈが設けられた絶縁部材であり、エポキシ樹脂などの絶縁材料からなる。図１では、ブッシング本体５２の外形が凹凸のない平滑な形状である場合（例えば、ガス中終端接続部を構築する場合など）を例示するが、ブッシング本体５２の外周に複数の襞が形成された外被（図示せず）を備えることができる。
【００２９】
（端末導電部）
端末導電部３は、図２を主に参照して説明する。
端末導電部３は、楔金具３０と、楔受け金具３２と、押込金具３４とを含む組物である。これらの金具３０，３２，３４は、ケーブル導体２０とブッシング５の電極５０との間を電気的に接続する導電性部材である。この例の端末導電部３は、更に、ケーブル導体２０の先端側領域を覆うキャップ３６を備える。
【００３０】
〈楔金具〉
楔金具３０は、ケーブル導体２０の端部を直接把持する筒状の部材であり、ケーブル導体２０の先端部が挿通される貫通孔３０ｈを備える。
【００３１】
貫通孔３０ｈをなす内周面は、ねじ加工が施された凹凸面である。凹凸面であることで、ケーブル導体２０を噛み込み易く強固に把持できる上に、ケーブル導体２０との接触面積を増大できて、ケーブル導体２０と楔金具３０との間の接続抵抗を低減し易い。
【００３２】
この例の楔金具３０は、その外周面の一部を、楔受け金具３２に収納されて拘束される収納部分とし、別の一部を押込金具３４に押圧される受圧部分とする。電力ケーブルの端末構造１を構築した際に、収納部分は電力ケーブル２の根元側に配置され、受圧部分は電力ケーブル２の先端側に配置される。詳しくは、楔金具３０は、その軸方向（図２では上下方向）の途中位置から電力ケーブル２の根元側に向かって縮径する根元側外周面３０２と、ケーブル導体２０の先端側に配置される先端側端面（図２では上面）から電力ケーブルの根元側に向かって拡径する受圧外周面３０４とを有する。根元側外周面３０２を収納部分とし、受圧外周面３０４を受圧部分とする。外周面３０２，３０４の大きさ（楔金具３０の軸方向に沿った長さ、この軸に対する傾斜角度など）は、ケーブル導体２０を拘束可能な範囲、押圧可能な範囲で適宜調整することができる。
【００３３】
その他、この例の楔金具３０は、その軸方向に延びると共に、その周方向に分断する一つ以上のスリット３０５を備える。この例では、楔金具３０の根元側端面（図２では下面）に開口し、先端側端面に向かって延びるスリットと、先端側端面に開口し、根元側端面に向かって延びるスリットとが楔金具３０の周方向に交互に、かつ等間隔に並び、合計８本のスリット３０５を備える。スリット３０５を備えることで楔金具３０は縮径可能となり、ケーブル導体２０を強固に把持できる上に、縮径前の楔金具３０をケーブル導体２０に挿通配置し易い。スリット３０５の個数、長さや幅、形成位置などは適宜選択でき、本例は例示である。
【００３４】
楔金具３０、後述する楔受け金具３２及び押込金具３４、上述の電極５０の構成材料は、銅や銅合金、アルミニウムやアルミニウム合金などの導電性に優れる金属が挙げられる。上述の金具３０，３２，３４が銅などの導電性に優れる金属からなることで、端末導電部３は、所定の導体断面積を確保でき、ケーブル導体２０と外部の接続対象とを良好に導通でき、低抵抗な接続構造を構築できる。
【００３５】
〈楔受け金具〉
楔受け金具３２は、ケーブル導体２０を把持する楔金具３０を拘束する筒状の部材であり、ケーブル導体２０の先端部が挿通されると共に、楔金具３０が嵌め込まれる貫通孔３２ｈを備える。この例の楔受け金具３２は、後述する溝部３２７の形成位置、回転防止部３２５の形成位置などを除いて、一様な外径Ｒ３２を有する円筒状である。
【００３６】
この例の楔受け金具３２は、その内周面の一部を、楔金具３０を拘束する拘束部分とし、別の一部を、押込金具３４を収納してねじ結合する結合部分とする。電力ケーブルの端末構造１を構築した際に、拘束部分は電力ケーブル２の根元側に配置され、結合部分は電力ケーブル２の先端側に配置される。詳しくは、楔受け金具３２は、電力ケーブル２の根元側に配置され、楔金具３０を収納する根元側内周面３２０と、ケーブル導体２０の先端側に配置され、ねじ加工が施された結合内周面３２４とを有し、根元側内周面３２０を拘束部分とし、結合内周面３２４を結合部分とする。
【００３７】
根元側内周面３２０は、楔金具３０の根元側外周面３０２の形状（ここでは円錘台状）に対応して、楔受け金具３２の軸方向の途中位置から電力ケーブル２の根元側に向かって縮径する円錐台状である。ケーブル導体２０を把持する楔金具３０が楔受け金具３２の根元側内周面３２０に収納された状態で電力ケーブル２が引っ張られると、楔金具３０は、ケーブル導体２０が引っ張られることに伴って、楔受け金具３２の根元側に引き込まれて、スリット３０５がつくる隙間を無くすように縮径する。その結果、楔金具３０は、ケーブル導体２０をより強固に拘束できると共に、楔受け金具３２に強固に引き留められて、楔受け金具３２との機械的接続強度を高められる。
【００３８】
結合内周面３２４は、楔受け金具３２の先端側端面（図２では上面）から、楔受け金具３２の軸方向の途中位置に至り、一様な内径を有する円筒状である。但し、結合内周面３２４は、ねじ加工（雌ねじ）が施されている。結合内周面３２４の内径（ねじ山と谷との平均内径）は、根元側内周面３２０の最大内径（上記途中位置における内径）よりも大きく、楔金具３０を楔受け金具３２の先端側端面から根元側内周面３２０に向かって容易に挿入できる。
【００３９】
根元側内周面３２０の大きさ（楔受け金具３２の軸方向に沿った長さ、この軸に対する傾斜角度など）は、楔金具３０を拘束可能な範囲で適宜調整することができる。結合内周面３２４の大きさ（上記軸方向に沿った長さ、内径など）は、押込金具３４をねじ結合できると共に、押込金具３４が楔受け金具３２に収納された楔金具３０を押圧可能な範囲で適宜調整することができる。
【００４０】
楔受け金具３２は、ブッシング５の電極５０に設けられた挿入穴５０ｈの内周面に接触して電気的に接続される導通部を有する。この例の導電部は、電極５０の挿入穴５０ｈの内周面に接触する多点接触部材３２ａと、楔受け金具３２の外周に設けられ、多点接触部材３２ａが嵌め込まれる溝部３２７とを備える。
【００４１】
多点接触部材３２ａは、例えば、複数のばね状接触子が並列された帯材が環状に形成された多点接触式のコンタクト部材などが挙げられる。多点接触部材３２ａは、通電性に優れ、大電流であっても低抵抗な接続構造を構築できる。
【００４２】
この例では、楔受け金具３２の外周面の先端側に、楔受け金具３２の軸方向に離間して二つの溝部３２７，３２７を備える。各溝部３２７，３２７は、多点接触部材３２ａ，３２ａを嵌め込み可能な環状の溝である。電力ケーブルの端末構造１の構築前では、図２に示すように多点接触部材３２ａの一部（ばね状接触子の一部）が溝部３２７の開口部から突出する。電力ケーブルの端末構造１を構築した際には、挿入穴５０ｈの内周面は上述の突出部分を押し潰すようにして接触する。この押し潰しによって、楔受け金具３２と電極５０とが導通できる。溝部３２７の個数、形成位置などは、楔受け金具３２と電極５０とが所定の導通状態を確保できる範囲で適宜変更することができる。
【００４３】
更に、この例の楔受け金具３２は、その外周面における電力ケーブル２の根元側に回転防止部３２５を含む。ここで、楔受け金具３２の外周面の全体を、上述の導通部をなす溝部３２７，３２７の形成箇所などを除いて、一様な外径Ｒ３２を有する円筒面とすることができる。しかし、この場合、電力ケーブルの端末構造１の構築過程で、押込金具３４を楔受け金具３２にねじ込む際に、楔受け金具３２が供回りし易く、押込金具３４をねじ込み難い。本例の楔受け金具３２は、その外周面のうち、根元側領域をなす円筒面の対向位置に、平面状に切り欠かれてなる平面領域を有する。これら平坦な平面領域をそれぞれ回転防止部３２５，３２５とする。上述のねじ込む際に、回転治具（図示せず）の把持爪を二つの回転防止部３２５，３２５に嵌め込むことで楔受け金具３２を固定すれば、上記供回りを防止できる上に、楔受け金具３２を把持し易い。回転防止部３２５の大きさ、形成位置などは、固定治具が楔受け金具３２を把持可能な範囲で適宜調整することができる。なお、楔受け金具３２の供回りなどを防止できれば、回転防止部３２５を省略してもよい。
【００４４】
〈押込金具〉
押込金具３４は、ケーブル導体２０を把持する楔金具３０を楔受け金具３２に押し込む筒状の部材であり、ケーブル導体２０の先端部が挿通される貫通孔３４ｈを備える。特に、押込金具３４は、楔受け金具３２の結合内周面３２４に螺合する結合外周面３４２と、楔金具３０を押圧する押圧面３４０とを有する。押込金具３４は、楔受け金具３２の結合内周面３２４にねじ込まれることで、押圧面３４０によって楔金具３０を楔受け金具３２に押し込む（図４も参照）。
【００４５】
この例の押圧面３４０は、押込金具３４の貫通孔３４ｈを形成する内周面の一部をなし、楔金具３０の受圧外周面３０４に当接する傾斜面を含む。この傾斜面は、押込金具３４の根元側端面から押込金具３４の軸方向の途中位置に至って設けられており、根元側端面から上記途中位置に向かって縮径する円錐台状の面である。また、この傾斜面は、受圧外周面３０４をなす傾斜面に対応した傾斜角度を有する面である。押圧面３４０をなす傾斜面の大きさ（押込金具３４の軸方向に沿った長さ、この軸に対する傾斜角度など）は、受圧外周面３０４に当接可能な範囲で適宜調整することができる。この例では、押圧面３４０をなす傾斜面は、その傾斜方向に沿った長さが受圧外周面３０４における傾斜方向に沿った長さよりも十分に長く、受圧外周面３０４を確実に押圧できる。
【００４６】
この例の押込金具３４では、その外周面の実質的に全面にねじ加工（雄ねじ）が施されており、根元側の領域を、楔受け金具３２に収納される（図１）と共にねじ結合する結合外周面３４２とし、先端側の領域を、後述するようにキャップ３６にねじ結合するキャップ結合面３４６とする。押込金具３４によって楔金具３０を押し込み、ケーブル導体２０を引き留めた状態において（図１）、押込金具３４が楔受け金具３２の先端側端面から突出してキャップ結合面３４６がキャップ３６とねじ結合できるように、押込金具３４の大きさを調整している。
【００４７】
その他、この例の押込金具３４は、押込金具３４を楔受け金具３２にねじ込む工具を取付ける取付治具９（図４）を固定する固定部を備える。ここでの固定部は、押込金具３４の先端側端面に開口する複数の止まり穴（工具穴３４５）を含む。各工具穴３４５には、取付治具９の爪部（図４では二点鎖線で仮想的に示す）が挿入される。固定部の構成は上記の工具に応じて適宜変更することができる。
【００４８】
〈キャップ〉
キャップ３６は、電力ケーブルの端末構造１の構築過程で、ケーブル導体２０の端面を含む先端部を保護する。この例では、上述の金具３０，３２，３４はいずれも筒状であり、ケーブル導体２０の先端部が貫通孔３２ｈ，３４ｈなどから露出されるものの、キャップ３６によって保護される。かつ、キャップ３６は、ブッシング５の電極５０の挿入穴５０ｈをなす内周面を保護する。キャップ３６が無い場合、端末導電部３を装着した電力ケーブル２の端部の外周に挿入穴５０ｈを嵌め込む際に端末導電部３、特に先端側の角部などが挿入穴５０ｈの内周面に接触して、挿入穴５０ｈの内周面を損傷する可能性がある。キャップ３６を備えることで、挿入穴５０ｈの内周面の損傷をより確実に防止できる。
【００４９】
キャップ３６は、ケーブル導体２０の端面、楔受け金具３２及び押込金具３４におけるケーブル導体２０の先端側に配置される領域を覆うように形成されている。詳しくは、キャップ３６は、円板からなる天面部３６５と、天面部３６５から立設される側壁部３６６とを備える有天筒状である。天面部３６５は、ケーブル導体２０の端面、楔金具３０及び楔受け金具３２の先端側端面に対向配置される（図１）。側壁部３６６は、その根元側端面が楔受け金具３２の先端側端面に対向配置され、その外周面は楔受け金具３２の外周面（外径Ｒ３２を有する部分）に実質的に面一である（図１，図２）。
【００５０】
更に、この例のキャップ３６は、押込金具３４の外周面の一部に螺合するねじ部３６４を備える。この例では、側壁部３６６の内周面にねじ加工（雌ねじ）が施されており、この内周面をねじ部３６４とする。このようなキャップ３６は、押込金具３４にねじ込むという単純な作業によって押込金具３４に強固に固定でき、別途、接着剤などを用いる必要がない。キャップ３６は、押込金具３４を介して、楔受け金具３２に固定される。
【００５１】
キャップ３６の構成材料は、樹脂などの比較的柔らかい材料が挙げられる。樹脂製のキャップ３６とすれば、挿入穴５０ｈの内周面に接触しても挿入穴５０ｈの内周面を損傷し難い。
【００５２】
（その他の部材）
その他、電力ケーブルの端末構造１は、図１に示すようにプレモールド絶縁体６、プレモールド絶縁体６を所定の位置に押し込む圧縮装置（図示せず）などを備える。その他の部材は、公知の構成を参照できる（例えば、特許文献２など）。
【００５３】
プレモールド絶縁体６は、電力ケーブル２のケーブル絶縁体２２の外周に配置され、ストレスコーンを形成する。プレモールド絶縁体６は、代表的には、エポキシ樹脂などからなり、根元側に半導電部（図示せず）を備える。
【００５４】
（電力ケーブルの端末構造の製造方法）
実施形態の電力ケーブルの端末構造１は、例えば、以下のようにして構築することが挙げられる。
（ａ）電力ケーブル２の端部を段剥ぎして、ケーブル導体２０の端部などを露出する。
（ｂ）ケーブル導体２０の端部に、図３に示すように、楔受け金具３２、楔金具３０の順に挿通配置する。
【００５５】
（ｃ）押込金具３４を楔受け金具３２にねじ込み、押圧面３４０によって楔金具３０を楔受け金具３２に押し込む。
ここでは、図４に示すように押込金具３４を楔受け金具３２にある程度ねじ込んで、押込金具３４を楔受け金具３２に支持させておき、取付治具９を押込金具３４に取り付ける。そして、所定の締付力が得られるまで、トルクレンチなどのねじ込み工具を用いて、押込金具３４をねじ込む。ねじ込む際には、楔受け金具３２の回転防止部３２５を適宜な固定治具で把持して、楔受け金具３２の回転を防止する。ねじ込み終了後、取付治具９を取り外す。
【００５６】
（ｄ）ケーブル導体２０の端面、楔受け金具３２及び押込金具３４における先端側領域を覆うようにキャップ３６を取り付ける。
ここでは、キャップ３６を押込金具３４にねじ込むことで固定する。
以上の工程により、ケーブル導体２０の端部に、キャップ３６を含む端末導電部３を装着することができる。
【００５７】
（ｅ）楔受け金具３２の溝部３２７に、多点接触部材３２ａを嵌め込んだ後、この電力ケーブル２の端部にブッシング５を嵌め込む。
【００５８】
（効果）
実施形態１の電力ケーブルの端末構造１は、ケーブル導体２０を楔金具３０及び楔受け金具３２によって保持し、この楔金具３０の小径側を電力ケーブル２の根元側に配置する。この構成により、実施形態１の電力ケーブルの端末構造１は、電力ケーブル２が引っ張られた際に、楔金具３０によってケーブル導体２０を引き留められて、強固に保持できる。楔受け金具３２と押込金具３４とがねじ結合されて、楔金具３０と楔受け金具３２との圧接状態が維持され易いことからも、ケーブル導体２０を強固に保持できる。かつ、実施形態１の電力ケーブルの端末構造１は、上述のようにケーブル導体２０の先端部に楔受け金具３２、楔金具３０、押込金具３４を挿通配置した後、押込金具３４を楔受け金具３２にねじ込むことで、楔金具３０を楔受け金具３２に押し込められ、構築し易い。
【００５９】
この例の電力ケーブルの端末構造１は、更に以下の効果を奏する。
（Ａ）楔金具３０の受圧部分（ここでは受圧外周面３０４）と、押込金具３４の押圧面３４０とが電力ケーブル２の軸方向にみて重複して配置されるため、電力ケーブルの端末構造１における上記軸方向に沿った長さを短くでき、この点で小型である。
（Ｂ）キャップ３６を備えるため、ケーブル導体２０の先端部を保護できる上に、電極５０の挿入穴５０ｈの内周面が押込金具３４などによって損傷することを防止できる。
（Ｃ）キャップ３６と押込金具３４とをねじ結合するため、キャップ３６を押込金具３４に強固に、かつ簡単に固定できる。また、接着剤で固定する場合に比較して、固定時間を短縮でき、作業性に優れる。
（Ｄ）楔受け金具３２と電極５０とを、多点接触部材３２ａを介して電気的に接続するため、導通性に優れ、低抵抗な接続構造を構築できる。
（Ｅ）楔受け金具３２が外周面に回転防止部３２５を含むため、押込金具３４を楔受け金具３２にねじ込む際に回転防止部３２５を把持して楔受け金具３２の回転を防止でき、ねじ込み作業を行い易い。
【００６０】
本発明はこれらの例示に限定されるものではなく、特許請求の範囲によって示され、特許請求の範囲と均等の意味及び範囲内での全ての変更が含まれることが意図される。
例えば、以下の少なくとも一つの変更が可能である。
（変形例ａ）楔金具３０の外周面の一部を受圧部分とし、押込金具３４の内周面の一部を押圧部分とすることに代えて、楔金具３０の先端側端面を受圧部分とし、押込金具３４の根元側端面を押圧面３４０とする。
（変形例ｂ）キャップ３６を押込金具３４にねじ結合させず、接着剤で固定する。この場合、押込金具３４を楔受け金具３２から実質的に突出しない大きさとし、キャップ３６を平板材などとしてもよい。
【符号の説明】
【００６１】
１  電力ケーブルの端末構造
２  電力ケーブル
２０  ケーブル導体
２２  ケーブル絶縁体
３  端末導電部
３０  楔金具
３０ｈ  貫通孔
３０２  根元側外周面
３０４  受圧外周面
３０５  スリット
３２  楔受け金具
３２ｈ  貫通孔
３２０  根元側内周面
３２４  結合内周面
３２５  回転防止部
３２７  溝部
３２ａ  多点接触部材
３４  押込金具
３４ｈ  貫通孔
３４０  押圧面（傾斜面）
３４２  結合外周面
３４６  キャップ結合面
３４５  工具穴
３６  キャップ
３６４  ねじ部
３６５  天面部
３６６  側壁部
５  ブッシング
５０  電極
５０ｈ，５２ｈ  挿入穴
５２  ブッシング本体
６  プレモールド絶縁体
９  取付治具
【図１】
2019115169.tif 000003
【図２】
2019115169.tif 000004
【図３】
2019115169.tif 000005
【図４】
2019115169.tif 000006